(57)【要約】【課題】商品の購買時等に、画像化された自分の購買履歴に関する購買履歴情報を認識できる情報処理装置等を提供する。【解決手段】ユーザにより購入された商品に対して付与されるポイントに関するポイント情報を、当該ポイント情報を記憶した記憶手段から取得し（Ｓ２）、ポイント情報に応じて変化する表示態様を示す画像オブジェクトを生成し（Ｓ３）、ウェブページに示される商品をユーザが購入した場合のポイント情報に応じて獲得される画像オブジェクトを獲得画像オブジェクトとし、獲得画像オブジェクトを生成し（Ｓ４）、画像オブジェクトおよび獲得画像オブジェクトが別々にまたは共に表示されたが表示されたウェブページを生成し、ウェブページを、ネットワークを介して端末装置に送信する（Ｓ５）。【選択図】図４
2014078276.tif 000002
【特許請求の範囲】
【請求項１】
ユーザにより購入された商品に対して付与されるポイントに関するポイント情報を、当該ポイント情報を記憶した記憶手段から取得するポイント情報取得手段と、
前記ポイント情報に応じて変化する表示態様を示す画像オブジェクトを生成する画像オブジェクト生成手段と、
ウェブページに示される商品をユーザが購入した場合のポイント情報に応じて獲得される画像オブジェクトを獲得画像オブジェクトとし、前記獲得画像オブジェクトを生成する獲得画像オブジェクト生成手段と、
前記画像オブジェクト及び前記獲得画像オブジェクトが別々にまたは共に表示されるウェブページを生成するウェブページ生成手段と、
前記ウェブページを、ネットワークを介して端末装置に送信する送信手段と、
を備えることを特徴とする情報処理装置。
【請求項２】
請求項１に記載の情報処理装置において、
前記ウェブページ生成手段が、前記画像オブジェクトおよび前記獲得画像オブジェクトが共に表示されたウェブページを生成することを特徴とする情報処理装置。
【請求項３】
請求項１または請求項２に記載の情報処理装置において、
前記ウェブページ生成手段が、前記ウェブページに示された複数の商品に対して、当該各商品を購入した場合の前記獲得画像オブジェクトが表示されたウェブページを生成することを特徴とする情報処理装置。
【請求項４】
請求項１から請求項３のいずれか１項に記載の情報処理装置において、
前記画像オブジェクト生成手段が、前記ポイント情報に応じた形状を有する画像オブジェクトを生成することを特徴とする情報処理装置。
【請求項５】
請求項１から請求項４のいずれか１項に記載の情報処理装置において、
前記画像オブジェクト生成手段が、前記ポイント情報に応じた色を有する画像オブジェクトを生成することを特徴とする情報処理装置。
【請求項６】
請求項１から請求項５のいずれか１項に記載の情報処理装置において、
前記画像オブジェクト生成手段が、前記ユーザの属性に基づいた画像オブジェクトを生成することを特徴とする情報処理装置。
【請求項７】
請求項１から請求項６のいずれか１項に記載の情報処理装置において、
前記画像オブジェクト生成手段が、初期状態の表示態様である前記画像オブジェクトを生成することを特徴とする情報処理装置。
【請求項８】
請求項１から請求項７のいずれか１項に記載の情報処理装置において、
前記画像オブジェクト生成手段が、前記ユーザにより利用された商品カテゴリに応じた表示態様の画像オブジェクトを生成することを特徴とする情報処理装置。
【請求項９】
情報処理装置が情報処理をする情報処理方法において、
ユーザにより購入された商品に対して付与されるポイントに関するポイント情報を、当該ポイント情報を記憶した記憶手段から取得するポイント情報取得ステップと、
前記ポイント情報に応じて変化する表示態様を示す画像オブジェクトを生成する画像オブジェクト生成ステップと、
ウェブページに示される商品をユーザが購入した場合のポイント情報に応じて獲得される画像オブジェクトを獲得画像オブジェクトとし、前記獲得画像オブジェクトを生成する獲得画像オブジェクト生成ステップと、
前記画像オブジェクト及び前記獲得画像オブジェクトが別々にまたは共に表示されたウェブページを生成するウェブページ生成ステップと、
前記ウェブページを、ネットワークを介して端末装置に送信する送信ステップと、
を有することを特徴とする情報処理方法。
【請求項１０】
情報処理をする情報処理装置と、前記情報処理装置とネットワークを介して接続した端末装置と、を備えた情報処理システムにおいて、
前記情報処理装置が、
ユーザにより購入された商品に対して付与されるポイントに関するポイント情報を、当該ポイント情報を記憶した記憶手段から取得するポイント情報取得手段と、
前記ポイント情報に応じて変化する表示態様を示す画像オブジェクトを生成する画像オブジェクト生成手段と、
ウェブページに示される商品をユーザが購入した場合のポイント情報に応じて獲得される画像オブジェクトを獲得画像オブジェクトとし、前記獲得画像オブジェクトを生成する獲得画像オブジェクト生成手段と、
前記画像オブジェクト及び前記獲得画像オブジェクトが別々にまたは共に表示されたウェブページを生成するウェブページ生成手段と、
前記ウェブページを前記端末装置に送信する送信手段と、
を備えることを特徴とする情報処理システム。
【請求項１１】
コンピュータに、
ユーザにより購入された商品に対して付与されるポイントに関するポイント情報を、当該ポイント情報を記憶した記憶手段から取得するポイント情報取得ステップと、
前記ポイント情報に応じて変化する表示態様を示す画像オブジェクトを取得する画像オブジェクト取得ステップと、
ウェブページに示される商品をユーザが購入した場合のポイント情報に応じて獲得される画像オブジェクトを獲得画像オブジェクトとし、前記獲得画像オブジェクトを取得する獲得画像オブジェクト取得ステップと、
前記画像オブジェクトおよび前記獲得画像オブジェクトを別々にまたは共に端末装置に表示されたウェブページ上に表示させる表示ステップと、
を実行させることを特徴とする情報処理プログラム。
【請求項１２】
請求項１１に記載の情報処理プログラムにおいて、
前記表示ステップが、前記画像オブジェクトおよび前記獲得画像オブジェクトを共にウェブページ上に表示させることを特徴とする情報処理プログラム。
【請求項１３】
請求項１１または請求項１２に記載の情報処理プログラムにおいて、
前記表示ステップが、前記ウェブページに示された複数の商品に対して、当該各商品を購入した場合の前記獲得画像オブジェクトをウェブページ上に表示させることを特徴とする情報処理プログラム。
【請求項１４】
請求項１１から請求項１３のいずれか１項に記載の情報処理プログラムにおいて、
前記画像オブジェクト取得ステップが、前記ポイント情報に応じた形状を有する画像オブジェクトを取得することを特徴とする情報処理プログラム。
【請求項１５】
請求項１１から請求項１４のいずれか１項に記載の情報処理プログラムにおいて、
前記画像オブジェクト取得ステップが、前記ポイント情報に応じた色を有する画像オブジェクトを取得することを特徴とする情報処理プログラム。
【請求項１６】
請求項１１から請求項１５のいずれか１項に記載の情報処理プログラムにおいて、
前記画像オブジェクト取得ステップが、前記ユーザの属性に基づいた画像オブジェクトを取得することを特徴とする情報処理プログラム。
【請求項１７】
請求項１１から請求項１６のいずれか１項に記載の情報処理プログラムにおいて、
前記画像オブジェクト取得ステップが、初期状態の表示態様である前記画像オブジェクトを取得することを特徴とする情報処理プログラム。
【発明の詳細な説明】
【技術分野】
【０００１】
本発明は、インターネット上のショッピングサイトにおいて商品に関連した情報を処理する情報処理装置、情報処理方法、情報処理システム、情報処理プログラム、および、記録媒体の技術分野に関する。
【背景技術】
【０００２】
インターネット上で商品の販売等を行うオンラインストア等のような仮想店舗において、実店舗のような雰囲気を出すように表示画面の工夫を凝らしたり、マウスのクリックで購入手続きを完了させたりして、ユーザの利便性を高めて販売促進を図ることが行われている。例えば、実店舗のような雰囲気を出すために、特許文献１には、オンラインストアへの第１訪問者の存在の表示、および、第２訪問者の活動と関連した情報を受信し、第２訪問者の活動を第１訪問者に表示するオンラインストアでの訪問者の活動を表示する手法が開示されている。
【先行技術文献】
【特許文献】
【０００３】
【特許文献１】米国特許第７６６０７４９号明細書
【発明の概要】
【発明が解決しようとする課題】
【０００４】
ところで、特許文献１に記載している従来のオンラインストアでは、例えば、ユーザにとって、一見して、どのような商品を購入していたか、どのくらいの金額の商品を購入していたか、ポイントがどのくらい貯まっているか等の購買履歴に関する購買履歴情報を把握することが難しかった。
【０００５】
本発明は、このような問題に鑑みてなされたものであり、その課題の一例は、商品の購買時等に、画像化された自分の購買履歴に関する購買履歴情報を認識できる情報処理装置等を提供することを目的とする。
【課題を解決するための手段】
【０００６】
上記課題を解決するために、請求項１に記載の発明は、ユーザにより購入された商品に対して付与されるポイントに関するポイント情報を、当該ポイント情報を記憶した記憶手段から取得するポイント情報取得手段と、前記ポイント情報に応じて変化する表示態様を示す画像オブジェクトを生成する画像オブジェクト生成手段と、ウェブページに示される商品をユーザが購入した場合のポイント情報に応じて獲得される画像オブジェクトを獲得画像オブジェクトとし、前記獲得画像オブジェクトを生成する獲得画像オブジェクト生成手段と、前記画像オブジェクト及び前記獲得画像オブジェクトが別々にまたは共に表示されるウェブページを生成するウェブページ生成手段と、前記ウェブページを、ネットワークを介して端末装置に送信する送信手段と、を備えることを特徴とする。
【０００７】
請求項２に記載の発明は、請求項１に記載の情報処理装置において、前記ウェブページ生成手段が、前記画像オブジェクトおよび前記獲得画像オブジェクトが共に表示されたウェブページを生成することを特徴とする。
【０００８】
請求項３に記載の発明は、請求項１または請求項２に記載の情報処理装置において、前記ウェブページ生成手段が、前記ウェブページに示された複数の商品に対して、当該各商品を購入した場合の前記獲得画像オブジェクトが表示されたウェブページを生成することを特徴とする。
【０００９】
請求項４に記載の発明は、請求項１から請求項３のいずれか１項に記載の情報処理装置において、前記画像オブジェクト生成手段が、前記ポイント情報に応じた形状を有する画像オブジェクトを生成することを特徴とする。
【００１０】
請求項５に記載の発明は、請求項１から請求項４のいずれか１項に記載の情報処理装置において、前記画像オブジェクト生成手段が、前記ポイント情報に応じた色を有する画像オブジェクトを生成することを特徴とする。
【００１１】
請求項６に記載の発明は、請求項１から請求項５のいずれか１項に記載の情報処理装置において、前記画像オブジェクト生成手段が、前記ユーザの属性に基づいた画像オブジェクトを生成することを特徴とする。
【００１２】
請求項７に記載の発明は、請求項１から請求項６のいずれか１項に記載の情報処理装置において、前記画像オブジェクト生成手段が、初期状態の表示態様である前記画像オブジェクトを生成することを特徴とする。
【００１３】
請求項８に記載の発明は、請求項１から請求項７のいずれか１項に記載の情報処理装置において、前記画像オブジェクト生成手段が、前記ユーザにより利用された商品カテゴリに応じた表示態様の画像オブジェクトを生成することを特徴とする。
【００１４】
請求項９に記載の発明は、情報処理装置が情報処理をする情報処理方法において、ユーザにより購入された商品に対して付与されるポイントに関するポイント情報を、当該ポイント情報を記憶した記憶手段から取得するポイント情報取得ステップと、前記ポイント情報に応じて変化する表示態様を示す画像オブジェクトを生成する画像オブジェクト生成ステップと、ウェブページに示される商品をユーザが購入した場合のポイント情報に応じて獲得される画像オブジェクトを獲得画像オブジェクトとし、前記獲得画像オブジェクトを生成する獲得画像オブジェクト生成ステップと、前記画像オブジェクト及び前記獲得画像オブジェクトが別々にまたは共に表示されたウェブページを生成するウェブページ生成ステップと、前記ウェブページを、ネットワークを介して端末装置に送信する送信ステップと、を有することを特徴とする。
【００１５】
請求項１０に記載の発明は、情報処理をする情報処理装置と、前記情報処理装置とネットワークを介して接続した端末装置と、を備えた情報処理システムにおいて、前記情報処理装置が、ユーザにより購入された商品に対して付与されるポイントに関するポイント情報を、当該ポイント情報を記憶した記憶手段から取得するポイント情報取得手段と、前記ポイント情報に応じて変化する表示態様を示す画像オブジェクトを生成する画像オブジェクト生成手段と、ウェブページに示される商品をユーザが購入した場合のポイント情報に応じて獲得される画像オブジェクトを獲得画像オブジェクトとし、前記獲得画像オブジェクトを生成する獲得画像オブジェクト生成手段と、前記画像オブジェクト及び前記獲得画像オブジェクトが別々にまたは共に表示されたウェブページを生成するウェブページ生成手段と、前記ウェブページを前記端末装置に送信する送信手段と、を備えることを特徴とする。
【００１６】
請求項１１に記載の発明は、コンピュータに、ユーザにより購入された商品に対して付与されるポイントに関するポイント情報を、当該ポイント情報を記憶した記憶手段から取得するポイント情報取得ステップと、前記ポイント情報に応じて変化する表示態様を示す画像オブジェクトを取得する画像オブジェクト取得ステップと、ウェブページに示される商品をユーザが購入した場合のポイント情報に応じて獲得される画像オブジェクトを獲得画像オブジェクトとし、前記獲得画像オブジェクトを取得する獲得画像オブジェクト取得ステップと、前記画像オブジェクトおよび前記獲得画像オブジェクトを別々にまたは共に端末装置に表示されたウェブページ上に表示させる表示ステップと、を実行させることを特徴とする。
【００１７】
請求項１２に記載の発明は、請求項１１に記載の情報処理プログラムにおいて、前記表示ステップが、前記画像オブジェクトおよび前記獲得画像オブジェクトを共にウェブページ上に表示させることを特徴とする。
【００１８】
請求項１３に記載の発明は、請求項１１または請求項１２に記載の情報処理プログラムにおいて、前記表示ステップが、前記ウェブページに示された複数の商品に対して、当該各商品を購入した場合の前記獲得画像オブジェクトをウェブページ上に表示させることを特徴とする。
【００１９】
請求項１４に記載の発明は、請求項１１から請求項１３のいずれか１項に記載の情報処理プログラムにおいて、前記画像オブジェクト取得ステップが、前記ポイント情報に応じた形状を有する画像オブジェクトを取得することを特徴とする。
【００２０】
請求項１５に記載の発明は、請求項１１から請求項１４のいずれか１項に記載の情報処理プログラムにおいて、前記画像オブジェクト取得ステップが、前記ポイント情報に応じた色を有する画像オブジェクトを取得することを特徴とする。
【００２１】
請求項１６に記載の発明は、請求項１１から請求項１５のいずれか１項に記載の情報処理プログラムにおいて、前記画像オブジェクト取得ステップが、前記ユーザの属性に基づいた画像オブジェクトを取得することを特徴とする。
【００２２】
請求項１７に記載の発明は、請求項１１から請求項１６のいずれか１項に記載の情報処理プログラムにおいて、前記画像オブジェクト取得ステップが、初期状態の表示態様である前記画像オブジェクトを取得することを特徴とする。
【発明の効果】
【００２３】
本発明によれば、商品を購入して獲得したポイントを、画像オブジェクトで認識しながら、購入することができるので、商品の購入時等に、画像化された自分の購買履歴に関する購買履歴情報を認識できる。
【図面の簡単な説明】
【００２４】
【図１】本発明の一実施形態に係る情報処理システムの概要構成例を示す模式図である。
【図２】図１のショッピングサーバの概要構成の一例を示すブロック図である。
【図３】図１のユーザ端末の概要構成の一例を示すブロック図である。
【図４】図１のショッピングサーバにおける動作例を示すフローチャートである。
【図５】図１のユーザ端末に表示されるウェブページの一例を示す模式図である。
【図６】図２の会員ＤＢに記憶されている会員毎の画像オブジェクトを示す表の一例を示す模式図である。
【図７】図１のユーザ端末に表示されるウェブページの一例を示す模式図である。
【図８】図１のユーザ端末に表示されるウェブページの一例を示す模式図である。
【図９】図１のユーザ端末に表示される決済手続き画面の一例を示す模式図である。
【図１０】図１のユーザ端末に表示されるウェブページの変形例を示す模式図である。
【図１１】画像オブジェクトの変形例を示す模式図である。
【図１２】画像オブジェクトの変形例を示す模式図である。
【図１３】画像オブジェクトの変形例を示す模式図である。
【図１４】画像オブジェクトの変形例を示す模式図である。
【図１５】図１のユーザ端末に表示されるウェブページの変形例を示す模式図である。
【図１６】図１のユーザ端末に表示されるウェブページの変形例を示す模式図である。
【図１７】画像オブジェクトとランクとの関係の表を示す模式図である。
【図１８】図１のユーザ端末に表示されるウェブページの変形例を示す模式図である。
【発明を実施するための形態】
【００２５】
以下、図面を参照して本発明の実施形態について説明する。なお、以下に説明する実施の形態は、情報処理システムに対して本発明を適用した場合の実施形態である。
【００２６】
［１．情報処理システムの構成および機能概要］
まず、本発明の一実施形態に係る情報処理システムの構成および概要機能について、図１を用いて説明する。
【００２７】
図１は、本実施形態に係る情報処理システム１の概要構成例を示す模式図である。
【００２８】
図１に示すように、情報処理システム１は、ショッピングサイトを運営するために設置されたショッピングサーバ（情報処理装置の一例）１０と、ショッピングサイトで商品の購入等をするユーザのユーザ端末（端末装置の一例）２０と、を備えている。
【００２９】
ショッピングサーバ１０と、ユーザ端末２０とは、ネットワーク３により接続され、例えば、通信プロトコルにＴＣＰ／ＩＰ等を用いて相互にデータの送受信が可能になっている。なお、ネットワーク３は、例えば、インターネット、専用通信回線（例えば、ＣＡＴＶ（Community Antenna Television）回線）、移動体通信網（基地局等を含む）、および、ゲートウェイ等により構築されている。
【００３０】
ショッピングサーバ１０は、ショッピングサイトで商品を販売するためのウェブサーバやデータベースサーバ等として機能し、ショッピングサイトに出店している店舗主の店舗端末（図示せず）からの商品の登録の受け付けや、ユーザ端末２０からのユーザ登録や、商品等の購入手続きや、商品の購入に対するポイントの付与等の各種処理を行う。またショッピングサーバ１０は、ウェブページに表示させる、ポイント情報に応じた画像オブジェクトを提供したり、ウェブページに含まれる商品画像で識別される商品をユーザが購入した場合に、購入した商品により付与されるポイント等の購買履歴情報に応じて獲得される画像オブジェクト（獲得画像オブジェクト）を提供したりする。
【００３１】
ユーザが使用する各ユーザ端末２０は、例えば、パーソナルコンピュータや携帯型無線電話機やＰＤＡ等の携帯端末である。ユーザはユーザ端末２０を使用して、商品の検索し、商品情報と共に、画像オブジェクトが表示されたウェブページを見て商品の購入等を行う。
【００３２】
［２．サーバ等の構成および機能］
（２．１  ショッピングサーバ１０の構成および機能）
次に、ショッピングサーバ１０の構成および機能について、図２を用いて説明する。
【００３３】
図２は、ショッピングサーバ１０の概要構成の一例を示すブロック図である。
【００３４】
図２に示すように、コンピュータとして機能するショッピングサーバ１０は、通信部１１と、記憶手段の一例である記憶部１２と、入出力インターフェース部１３と、システム制御部１４と、を備えている。そして、システム制御部１４と入出力インターフェース部１３とは、システムバス１５を介して接続されている。
【００３５】
通信部１１は、ネットワーク３に接続してユーザ端末２０等との通信状態を制御したり、ローカルエリアネットワークに接続して、ローカルエリアネットワーク上の他のサーバとデータの送受信を行ったりする。
【００３６】
記憶部１２は、例えば、ハードディスクドライブ等により構成されており、オペレーティングシステムおよびサーバプログラム等の各種プログラムや、データ等を記憶する。なお、各種プログラムは、例えば、他のサーバ装置等からネットワーク３を介して取得されるようにしてもよいし、記録媒体に記録されてドライブ装置を介して読み込まれるようにしてもよい。
【００３７】
また、記憶部１２には、商品データベース（以下「商品ＤＢ」とする。）１２ａや、会員データベース（以下「会員ＤＢ」とする。）１２ｂや、様々な態様の画像オブジェクトが記憶されている画像オブジェクトデータベース（以下「画像オブジェクトＤＢ」とする。）１２ｃ等が構築されている。
【００３８】
商品ＤＢ１２ａには、商品を識別するための識別子である商品ＩＤに関連付けられ、商品名、種類、商品の画像、スペック、価格、および、商品紹介の要約文等の商品情報や、広告情報等が記憶されている。また、商品ＤＢ１２ａには、ＨＴＭＬ（HyperText Markup Language）、ＸＭＬ（Extensible Markup Language）等のマークアップ言語等により記述されたウェブページのファイル等が記憶されている。
【００３９】
会員ＤＢ１２ｂには、会員登録されたユーザ（ショッピングサイトの利用者）のユーザＩＤ、名称、住所、電話番号、メールアドレス、ユーザの性別や年齢等のユーザ属性、ユーザが得たポイント等のユーザ情報が登録されている。さらに、ユーザ情報として、ユーザのクレジットカード番号等の決済情報も記憶されている。このようなユーザ情報は、ユーザＩＤによってユーザ毎に判別可能になっている。また、会員ＤＢ１２ｂには、ユーザがユーザ端末２０からショッピングサイトにログインする際に必要な、ユーザＩＤ、ログインＩＤ、および、パスワードが登録されている。ここで、ログインＩＤおよびパスワードは、ログイン処理（ユーザの認証処理）に使用されるログイン情報である。
【００４０】
画像オブジェクトＤＢ１２ｃには、ウェブページ上に表示される画像オブジェクトの一例としてヒトの形を模したキャラクターが記憶されている。画像オブジェクトＤＢ１２ｃには、ユーザの性別、年齢等のユーザ属性に応じた様々な態様のキャラクターが記憶されている。そして、ユーザが取得したポイントに応じてキャラクターを変化させたり、成長させたり、何かをキャラクターに付随させたりするため、ユーザ属性毎に、一連の複数のキャラクターが、ポイントに関連付けられて画像オブジェクトＤＢ１２ｃに記憶されている。なお、画像オブジェクトの一例として、ヒト型のキャラクターの他に、動物や花や車といったヒト以外や、図形や記号等でもよい。
【００４１】
ここで、画像オブジェクトＤＢ１２ｃには、獲得するポイントに応じて成長する画像オブジェクトが、成長順に画像オブジェクト番号を付されて記憶されている。
【００４２】
なお、商品ＤＢ１２ａに記憶されたウェブページの一部には、画像オブジェクトをウェブページ上へ表示させ、この画像オブジェクトをユーザ端末２０の操作に基づき移動させるスクリプトが埋め込まれている。このスクリプトは、例えば公知のＪＡＶＡ（登録商標）またはＣＧＩ（Common Gateway Interface）等によって記述されているがこれに限定されることはなく、任意に選択することができる。またこれらのスクリプトの詳細については、公知技術であるため詳しい説明は省略する。
【００４３】
さらに、会員ＤＢ１２ｂに、ユーザＩＤに関連付けて、現在のポイント数に応じた画像オブジェクトの画像オブジェクト番号と、ユーザに提示する商品の商品ＩＤと、当該商品ＩＤに対応する価格またはポイントとが、記憶されている。
【００４４】
次に、入出力インターフェース部１３は、通信部１１および記憶部１２とシステム制御部１４との間のインターフェース処理を行うようになっている。
【００４５】
システム制御部１４は、ＣＰＵ（Central Processing Unit）１４ａ、ＲＯＭ（Read Only Memory）１４ｂ、ＲＡＭ（Random Access Memory）１４ｃ等により構成されている。システム制御部１４は、ＣＰＵ１４ａがＲＯＭ１４ｂや記憶部１２に記憶された各種プログラムを読み出し実行することにより、ユーザ端末２０からの要求に基づき、ウェブページを送信したり、ユーザによる商品購入処理や、ポイント情報をユーザＩＤ毎に記録させたりする。また、システム制御部１４は、ポイントに応じた画像オブジェクトを画像オブジェクトＤＢ１２ｃから取得する。
【００４６】
（２．２  ユーザ端末２０の構成および機能）
次に、ユーザ端末２０の構成および機能について、図３を用いて説明する。
【００４７】
図３は、ユーザ端末２０の概要構成の一例を示すブロック図である。
【００４８】
図３に示すように、コンピュータとして機能するユーザ端末２０は、通信部２１と、記憶手段の一例である記憶部２２と、表示部２３と、操作部２４と、入出力インターフェース部２５と、システム制御部２６と、を備えている。そして、システム制御部２６と入出力インターフェース部２５とは、システムバス２７を介して接続されている。
【００４９】
通信部２１は、ネットワーク３を通して、ショッピングサーバ１０等と通信状態を制御等するようになっている。なお、ユーザ端末２０が携帯型無線電話機の場合、ネットワーク３の移動体通信網に接続するために、通信部２１は、無線通信機能を有する。
【００５０】
記憶部２２は、例えば、ハードディスクドライブ等からなり、オペレーティングシステム、ウェブブラウザプログラム等を記憶する。
【００５１】
表示部２３は、例えば、液晶表示素子またはＥＬ（Electro Luminescence）素子等によって構成されている。表示部２３には、マウスの操作により移動するポインタや、ショッピングサーバ１０から取得した、画像オブジェクトが含まれるウェブページや、決済画面のウェブページ等が表示される。
【００５２】
操作部２４は、例えば、キーボードおよびマウス等によって構成されている。操作部２４により、ユーザ登録のためのデータを入力したり、表示部２３に表示された画像オブジェクトを移動させたりする。なお、表示部２３がタッチパネルのようなタッチスイッチ方式の表示パネルの場合、操作部２４は、ユーザが接触または近接した表示部２３の位置情報を取得する。
【００５３】
入出力インターフェース部２５は、通信部２１および記憶部２２とシステム制御部２６との間のインターフェース処理を行うようになっている。
【００５４】
システム制御部２６は、ＣＰＵ２６ａ、ＲＯＭ２６ｂ、記憶手段の一例であるＲＡＭ２６ｃ等により構成されている。そして、システム制御部２６は、ＣＰＵ２６ａが、ＲＯＭ２６ｂやＲＡＭ２６ｃや記憶部２２に記憶された各種プログラムを読み出し実行したり、取得したスクリプトを実行したりすることにより、ショッピングサーバ１０から取得したウェブページを表示部２３に表示させたり、表示部２３のウェブページに表示された画像オブジェクトを、操作部２４の情報に基づき移動させたりする。
【００５５】
［３．情報処理システムの動作］
次に、本実施形態に係る情報処理システム１の動作について図４〜図８を用いて説明する。
【００５６】
図４は、情報処理システム１における動作例を示すフローチャートである。図５および図７は、ユーザ端末２０に表示されるウェブページの一例を示す模式図である。図６は、会員ＤＢ１２ｂに記憶されている会員毎の画像オブジェクトを示す表の一例を示す模式図である。図８は、ユーザ端末２０に表示される決済手続き画面の一例を示す模式図である。
【００５７】
図４に示すように、ショッピングサーバ１０は、ユーザのログインを受け付ける（ステップＳ１）。具体的には、まず、ユーザ端末２０を利用して、ユーザがショッピングサイトのログイン画面を開き、ログインＩＤおよびパスワードを入力して確定ボタンを押すと、ユーザ端末２０からショッピングサーバ１０にログインＩＤおよびパスワードの情報が送信される。そして、ショッピングサーバ１０のシステム制御部１４は、ユーザ端末２０からログインＩＤおよびパスワードを受信して認証を行い、パスワードが正しければアクセスを許可する。
【００５８】
次に、ショッピングサーバ１０は、ユーザの購買履歴情報およびユーザ属性を取得する（ステップＳ２）。具体的には、ショッピングサーバ１０のシステム制御部１４は、会員ＤＢ１２ｂに基づきログインＩＤからユーザＩＤを特定し、ユーザＩＤに関連付けられた購買履歴情報（例えば、商品を購入した特典の一例として付与されるポイント情報や、購入した商品の情報（購入日付、商品名、購入金額、購入数）、過去の購入金額を合計した情報、購買に関する統計情報等の情報）およびユーザ属性を会員ＤＢ１２ｂから取得する。このようにショッピングサーバ１０のシステム制御部１４は、ユーザにより購入された商品に関する購買履歴情報を、当該購買履歴情報を記憶した記憶手段から取得する購買履歴情報取得手段の一例として機能する。また、ショッピングサーバ１０のシステム制御部１４は、ユーザにより購入された商品に対して付与されるポイントに関する情報をポイント情報とし、ポイント情報を取得するポイント情報取得手段の一例として機能する。
【００５９】
次に、ショッピングサーバ１０は、購買履歴情報に応じて変化する表示態様を示す画像オブジェクトを取得する（ステップＳ３）。具体的には、ショッピングサーバ１０のシステム制御部１４は、ユーザ属性のユーザの性別や年齢等に基づき画像オブジェクトＤＢ１２ｃから、性別等に対応し、ポイントの値等の購買履歴情報に応じて変化する一連の画像オブジェクトを選択する。ここで、一連の画像オブジェクトの一例として、図５に示すように、ポイントの値や購入金額に応じて態様が変わる画像オブジェクト３０や、画像オブジェクト（獲得画像オブジェクト）３１、３２、３３、３４が挙げられる。なお、ショッピングサーバ１０のシステム制御部１４は、ポイント情報に応じた表示態様を示す画像オブジェクトや、ユーザの属性に基づいた画像オブジェクトや、ポイント情報に応じた形状を有する画像オブジェクトや、ポイント情報に応じた色を有する画像オブジェクト等を、画像オブジェクト（獲得画像オブジェクト）として予め生成して、画像オブジェクトＤＢ１２ｃに記憶しておく。
【００６０】
ここで、画像オブジェクト３０は、初期状態の画像オブジェクト（画像オブジェクト番号が”０”）であり、輪郭のみを点線で表し、画像オブジェクト番号”１”の画像オブジェクト３１や、画像オブジェクト番号”２”の画像オブジェクト３２等のヒト型の存在を予見させる。初期状態の画像オブジェクトは、ポイントがまだないか、ポイントが所定の値に達していないかを示している。また、画像オブジェクト３１は、画像オブジェクト３０に比べ、輪郭がはっきりし、例えば１０００ポイントに達したときに表示される。また、画像オブジェクト３２は、画像オブジェクト３１に対して色が付けられ、例えば２００ポイントに達したときに表示される。また、画像オブジェクト３３は、画像オブジェクト３１に対してニックネームが付けられ、例えば３０００ポイントに達したときに表示される。また、画像オブジェクト３４は、画像オブジェクト３２や画像オブジェクト３３に対して画像オブジェクトに動作のバリエーションが追加される。また画像オブジェクト３４等が点滅してもよい。
【００６１】
そして、ショッピングサーバ１０のシステム制御部１４は、一連の画像オブジェクトの中から、取得したポイント情報に応じた表示態様を示す画像オブジェクトを画像オブジェクトＤＢ１２ｃから取得する。ユーザがポイントを所有していない場合や、所定のポイントの値に達していない場合、ショッピングサーバ１０のシステム制御部１４は、初期状態の画像オブジェクト３０を取得する。
【００６２】
このようにショッピングサーバ１０のシステム制御部１４は、購買履歴情報に応じて変化する表示態様を示す画像オブジェクトを生成する画像オブジェクト生成手段の一例として機能する。また、ショッピングサーバ１０のシステム制御部１４は、ポイント情報に応じた表示態様を示す画像オブジェクトを生成する画像オブジェクト生成手段の一例として機能する。またショッピングサーバ１０のシステム制御部１４は、ユーザの属性に基づいた画像オブジェクトを生成する画像オブジェクト生成手段の一例として機能する。またショッピングサーバ１０のシステム制御部１４は、購買履歴情報の一例のポイント情報に応じた形状を有する画像オブジェクトを生成する画像オブジェクト生成手段の一例として機能する。またショッピングサーバ１０のシステム制御部１４は、ポイント情報に応じた色を有する画像オブジェクトを生成する画像オブジェクト生成手段の一例として機能する。またショッピングサーバ１０のシステム制御部１４は、初期状態の表示態様である画像オブジェクトを生成する画像オブジェクト生成手段の一例として機能する。
【００６３】
次に、ログインしたユーザがショッピングサイトの検索ページで商品検索したり、ある特定の商品群があるウェブページのリンク情報がある箇所をクリックしたりする。そしてショッピングサーバ１０のシステム制御部１４は、ユーザ端末２０からの商品検索のリクエストやウェブページのリクエストを受信する。例えば、図５に示すように、ある特定の商品群があるウェブページ４０の表示が要求された場合、ショッピングサーバ１０のシステム制御部１４は、商品ＤＢ１２ａに基づき、ウェブページ４０に表示する各商品を特定し、各商品が購入された場合にユーザに付与されるポイント情報を取得する。
【００６４】
次に、ショッピングサーバ１０は、商品をユーザが購入した場合に、購入する商品のポイント等の購買履歴情報に応じて獲得される獲得画像オブジェクトを取得する（ステップＳ４）。具体的には、ショッピングサーバ１０のシステム制御部１４は、図５に示すように、ユーザ端末２０の表示部２３に表示されるウェブページ４０に記載される商品画像４１から識別される各商品に対応させ、商品が購入された場合にユーザに付与されるポイントと、ユーザが現在所有するポイントとの合計に応じた獲得画像オブジェクト３１、３２、３３、３４を、ショッピングサーバ１０のシステム制御部１４は画像オブジェクトＤＢ１２ｃから取得する。
【００６５】
このようにショッピングサーバ１０のシステム制御部１４は、ウェブページに示される商品をユーザが購入した場合の購買履歴情報に応じて獲得される画像オブジェクトを獲得画像オブジェクトとし、獲得画像オブジェクトを生成する獲得画像オブジェクト生成手段、または、ウェブページに含まれる商品画像で識別される商品をユーザが購入した場合に、購入した商品により付与されるポイントに応じて獲得される画像オブジェクトを獲得画像オブジェクトとし、獲得画像オブジェクトを生成する獲得画像オブジェクト生成手段の一例として機能する。
【００６６】
次に、ショッピングサーバ１０のシステム制御部１４は、商品画像４１、画像オブジェクト３０、および、獲得画像オブジェクト３１、３２、３３、３４が組み込まれたウェブページ４０を生成し、ウェブページ４０をユーザ端末２０に通信部１１を通して送信する。ショッピングサーバ１０のシステム制御部１４は、生成したウェブページ４０をユーザ端末２０に送信することにより、ユーザ端末２０の表示部２３に表示できるようにさせる。このようにショッピングサーバ１０のシステム制御部１４は、画像オブジェクトが表示されたウェブページを生成するウェブページ生成手段の一例として機能する。また、ショッピングサーバ１０のシステム制御部１４は、商品画像と共に、画像オブジェクトおよび獲得画像オブジェクトが表示されたウェブページを生成するウェブページ生成手段の一例として機能する。また、ショッピングサーバ１０のシステム制御部１４は、ウェブページを、ネットワークを介して端末装置に送信する送信手段の一例として機能する。
【００６７】
なお、図６に示すように、会員ＤＢ１２ｂには、ユーザＩＤに関連付けられて、現在のポイント数に応じた画像オブジェクトの画像オブジェクト番号と、ユーザに提示する商品の商品ＩＤと、当該商品ＩＤに対応する価格とのレコードがある。ショッピングサーバ１０のシステム制御部１４は、ステップＳ１でログインしたユーザのユーザＩＤに基づき、このレコードから、図５に示すようなウェブページ４０に表示させる画像オブジェクトの画像オブジェクト番号と、商品の商品ＩＤと、商品の価格と、を読み出す。ショッピングサーバ１０のシステム制御部１４は、画像オブジェクト番号に基づき、ウェブページ４０に表示させる画像オブジェクトを画像オブジェクトＤＢ１２ｃから読み出す。そして、ショッピングサーバ１０のシステム制御部１４は、商品ＩＤに対応した商品の価格と、画像オブジェクト番号とに基づき、獲得画像オブジェクト３１、３２、３３、３４等を画像オブジェクトＤＢ１２ｃから読み出す。
【００６８】
また、図６に示すような表は、例えば、１日１回や、ユーザが商品を購入した際に、購買履歴情報を反映させるために更新される。
【００６９】
次に、ユーザ端末２０は、商品画像および画像オブジェクトを表示させる（ステップＳ５）。具体的には、ユーザ端末２０のシステム制御部２６は、ショッピングサーバ１０から、商品画像４１、画像オブジェクト３０、および、獲得画像オブジェクト３１、３２、３３、３４が組み込まれたウェブページ４０を受信し、表示部２３に表示させる。このようにユーザ端末２０のシステム制御部２６は、ユーザ端末２０のシステム制御部２６は、端末に表示されたウェブページ上に表示させる表示手段、または、商品画像と共に、画像オブジェクトおよび獲得画像オブジェクトをウェブページ上に表示させる表示手段の一例として機能する。
【００７０】
次に、画像オブジェクト３０が移動される（ステップＳ６）。具体的には、ショッピングサーバ１０のシステム制御部１４が、ウェブページ４０を生成する際に、ユーザ端末２０の操作部２４からの入力に基づきウェブページ４０上で画像オブジェクト３０を動かすためのスクリプトやＨＴＭＬの記述をウェブページ４０に組み込んでおく。そして、ショッピングサーバ１０のシステム制御部１４が、通信部１１を通してユーザ端末２０に送信することにより、画像オブジェクト３０がウェブページ４０上を移動できるようにしておく。ユーザ端末２０のシステム制御部２６は、ウェブページ４０のスクリプトやＨＴＭＬのタグ等に基づき、操作部２４からの入力に基づき、画像オブジェクト３０を移動させる。
【００７１】
例えば、ユーザが操作部２４のマウスにより指示される表示部２３上のポインタ４５を、画像オブジェクト３０の領域に移動して、マウスの左クリック等を押してポインタ４６に変化させ、図７に示すように、ウェブページ４０上において画像オブジェクト３０をドラッグさせる。なお、クリックせずに、ポインタ４５が画像オブジェクト３０の領域と入ることにより、画像オブジェクト３０が移動させるようにしてもよい。
【００７２】
このようにショッピングサーバ１０のシステム制御部１４は、ユーザ端末の操作部からの入力に基づき、ウェブページ上で、画像オブジェクトを移動させる画像オブジェクト移動手段の一例として機能する。またユーザ端末２０のシステム制御部２６は、ユーザ端末の操作部からの入力に基づき、ウェブページ上で、画像オブジェクトを移動させる画像オブジェクト移動手段の一例として機能する。
【００７３】
次に、画像オブジェクト３０が、商品画像４１等に移動した場合に、商品の購入手続に関連した処理が開始される（ステップＳ７）。例えば、商品画像４１に対応した商品が購入予定リストに登録されたり、画像オブジェクト３０と商品関連情報の表示領域との重なりに基づく商品購入手続きの処理が行われたりする。具体的には、ショッピングサーバ１０のシステム制御部１４が、ウェブページ４０を生成する際に、図８に示すように、画像オブジェクト３０の表示領域と商品関連情報の一例である商品画像４１の表示領域とが重なったときに、買い物かごのような購入予定リストに、商品画像４１に対応した商品を登録させるようにしたり、図９に示すような商品購入ページ５０が開くようにしたりするスクリプトやＨＴＭＬの記述をウェブページ４０に組み込んでおく。そして、ユーザ端末２０のシステム制御部２６は、ウェブページ４０のスクリプトやＨＴＭＬのタグ等に基づき、ウェブページ４０上で、画像オブジェクト３０の表示領域と、商品画像４１の表示領域とが重なったときに、商品を購入予定リストに登録させたり、商品購入ページ５０が表示部２３に表示させたりして、購入手続に関連した処理を開始させる。
【００７４】
なお、商品に関連した情報として、獲得画像オブジェクト３１、３２、３３、３４でもよい。また、商品購入ページ５０を開かず、次回の購入から省略して、商品の購入の手続きを開始してもよい。また、画像オブジェクト３０の表示領域と、獲得画像オブジェクト３１、３２、３３、３４の表示領域とが重なったときに、画像オブジェクト３０の表示態様が、獲得画像オブジェクト３１と同一の画像オブジェクト３０Ｂに変わるようにしてもよい。この場合、獲得画像オブジェクト３１、３２、３３、３４の表示領域と重なったことが明確になり、また、ポイントが付与された場合、どのような画像オブジェクトに変わるかユーザに明確に示すことができる。さらに、この場合、ウェブページ４０に、購買履歴情報に応じて獲得されと予想される獲得画像オブジェクト３１、３２、３３、３４を始めから表示させておかなくて、画像オブジェクト３０が、商品画像４１等に移動した場合に、画像オブジェクト３０Ｂに変わるようにしてもよい。
【００７５】
このようにショッピングサーバ１０のシステム制御部１４またはユーザ端末２０のシステム制御部２６は、画像オブジェクトの表示領域と商品に関連した情報の表示領域とがウェブページ上で少なくとも一部重なったときに、商品の購入の手続きに移行させる購入手続移行手段の一例として機能する。またショッピングサーバ１０のシステム制御部１４またはユーザ端末２０のシステム制御部２６は、画像オブジェクトが獲得画像オブジェクトに移動した場合に、商品を購入予定リストに登録する商品登録手段の一例として機能する。また、ショッピングサーバ１０のシステム制御部１４またはユーザ端末２０のシステム制御部２６は、画像オブジェクトおよび獲得画像オブジェクトの表示領域がウェブページ上で少なくとも一部重なったときに、商品の購入の手続きに移行させる購入手続移行手段の一例として機能する。
【００７６】
次に、ショッピングサーバ１０は、商品購入を確定させる（ステップＳ８）。具体的には、ユーザが、商品購入ページ５０の確認ボタンで、”ＹＥＳ”を選択し、次の購入手続きに移り、ショッピングサーバ１０のシステム制御部１４は、会員ＤＢ１２ｂから、ユーザの住所や、クレジットカード番号等の決済情報を取得し、ユーザの確認の下、商品購入を確定させる。
【００７７】
次に、確定したポイントに応じて画像オブジェクトが変更する（ステップＳ９）。具体的には、ショッピングサーバ１０のシステム制御部１４は、商品購入を確定し、ユーザから入金があった時点でポイントを確定させ、付与されたポイントに応じて、画像オブジェクト３０を、獲得画像オブジェクト３１、３２、３３、３４等いずれかの表示態様に変化させる。ログイン時に、変化した画像オブジェクトが表示される。
【００７８】
以上、本実施形態によれば、ユーザにより購入された商品に関する購買履歴情報を、当該購買履歴情報を記憶した商品ＤＢ１２ａから取得し、購買履歴情報に応じて変化する表示態様を示す画像オブジェクト３０を取得し、画像オブジェクトを、ユーザ端末２０に表示されたウェブページ４０上に表示させることにより、商品の購入時等に、画像化された自分の購買履歴に関する購買履歴情報を認識できる。また、これにより、画像化された自分の購買履歴情報を見ながら、購入することができる。
【００７９】
また、ウェブページに示される商品をユーザが購入した場合の購買履歴情報に応じて獲得される画像オブジェクトを獲得画像オブジェクトとし、獲得画像オブジェクト３１、３２、３３、３４を取得し、画像オブジェクトおよび獲得画像オブジェクトをウェブページ４０上に表示させると、ユーザは、画像オブジェクトが獲得画像オブジェクトに変化するという楽しみが増え、ユーザに対する商品の販売を促すことができる。
【００８０】
また、ユーザにより購入された商品に対して付与されるポイントに関する情報をポイント情報として取得し、ポイント情報に応じた表示態様を示す画像オブジェクト３０を取得し、ウェブページ４０に含まれる商品画像４１で識別される商品をユーザが購入した場合に、購入した商品により付与されるポイントに応じて獲得される画像オブジェクトを獲得画像オブジェクト３１、３２、３３、３４として取得し、商品画像４１と共に、画像オブジェクト３０および獲得画像オブジェクト３１等をウェブページ上に表示させることにより、ユーザは、商品を購入してポイントを獲得すると同時に、画像オブジェクト３０が獲得画像オブジェクトに変化するという楽しみが増加し、ユーザに対する商品の販売を促すことができる。また、ポイントと、取得されるポイントによって獲得できる獲得画像オブジェクト３１、３２、３３、３４等とをセットで表示させることにより、次の商品の購買を促すことができる。
【００８１】
また、購買履歴情報として、ユーザにより購入された商品に対して付与されるポイントに関するポイント情報を取得し、ポイント情報に応じて変化する表示態様を示す画像オブジェクト３０を取得する場合、商品を購入して獲得したポイントを、画像オブジェクト３０で認識しながら、購入することができる。
【００８２】
また、ユーザの属性に基づいた画像オブジェクト３０が取得される場合、ユーザ自体の属性を有する画像オブジェクト３０により、画像オブジェクト３０に対する愛着が湧き、画像オブジェクト３０を獲得画像オブジェクト３１、３２、３３、３４等に成長させたいという動機を生じさせ、ユーザに対する商品の販売を促すことができる。また、ユーザ自体の属性を有する画像オブジェクト３０により、ユーザ同士が話をしているような臨場感を出すことができる。
【００８３】
また、ウェブページ４０に、購買履歴情報に応じて獲得されと予想される獲得画像オブジェクト３１、３２、３３、３４を始めから表示させておかなくて、画像オブジェクト３０が、商品画像４１に移動したときに、画像オブジェクト３０Ｂ（獲得画像オブジェクト）に変わり、この獲得画像オブジェクトをウェブページ上に表示させる場合、ユーザは、画像オブジェクトが獲得画像オブジェクトに変化するという楽しみが増え、ユーザに対する商品の販売を促すことができる。
【００８４】
ポイント情報に応じた形状を有する画像オブジェクトやポイント情報の購買履歴情報に応じた色を有する画像オブジェクトが取得される場合、ポイント情報等の購買履歴情報に応じて形状や色が変わるというユーザの楽しみが増え、ユーザに対する商品の販売を促すことができる。
【００８５】
初期状態の表示態様である画像オブジェクトを取得する場合、例えば、初めてのユーザやポイントが足りない場合でも、初期状態の表示態様である画像オブジェクト３０が、画像オブジェクト３１、３２、３３、３４等への変化を予見させ、ユーザの楽しみが増え、ユーザに対する商品の販売を促すことができる。
【００８６】
ユーザの端末２０の操作部２４からの入力に基づき、ウェブページ４０上で、画像オブジェクトを移動させ、画像オブジェクトの表示領域と商品に関連した情報の表示領域とがウェブページ上で少なくとも一部重なったときのように、画像オブジェクトが商品の商品画像に移動した場合や、画像オブジェクトが獲得画像オブジェクトに移動した場合に、商品を購入予定リストに登録したり、商品の購入の手続きに移行させたりすると、ユーザの操作しやすくなったり、ユーザに対する演出性が増加したりして、ユーザの利便性が向上し、ユーザに対する商品の販売を促すことができる。また、画像オブジェクトがドラッグされ、商品画像に落とし込むようにして、商品を指定して商品の購入に関連した手続きに移行させることができる。
【００８７】
画像オブジェクトおよび獲得画像オブジェクトの表示領域がウェブページ４０上で少なくとも一部重なったときに、商品の購入の手続きに移行させる場合、画像オブジェクト３０を、獲得画像オブジェクト３１等までドラッグし重ねるユーザの動作により、獲得画像オブジェクトにしたいというユーザの意思を明確させることができる。
【００８８】
また本実施形態によれば、ユーザにより購入された商品に対して付与されるポイントに関する情報をポイント情報とし、ポイント情報を取得すし、ポイント情報に応じた表示態様を示す画像オブジェクト３０を取得し、商品を識別させる商品画像４１と共に、画像オブジェクト３０をウェブページ４０上に表示させ、ユーザ端末２０の操作部２４からの入力に基づき、ウェブページ４０上で画像オブジェクト３０を移動させ、画像オブジェクト３０の表示領域と、商品に関連した情報（獲得画像オブジェクト３１等や商品画像４１等）の表示領域とがウェブページ上で少なくとも一部重なったときに、商品の購入の手続きに移行させることにより、ユーザの操作しやすくなったり、ユーザに対する演出性が増加したりして、ユーザの利便性が向上し、ユーザに対する商品の販売を促すことができる。
【００８９】
［４．ウェブページおよび画像オブジェクトの変形例］
（４．１  ウェブページの変形例）
次に、ユーザ端末２０に表示されるウェブページについて図１０を用いて説明する。図１０は、ユーザ端末２０に表示されるウェブページの変形例を示す模式図である。
【００９０】
ステップＳ６において、画像オブジェクト３０が移動されるのではなく、商品画像４１が移動されるようにしてもよい。例えば、図１０に示すように、ユーザの操作部２４からの入力に基づき、ウェブページ４０Ｂ上において商品画像４１が画像オブジェクト３５の方にドラッグさせられる。
【００９１】
そして、ステップＳ７のように、商品画像４１が画像オブジェクト３５に移動して、画像オブジェクト３５の表示領域と商品画像４１の表示領域とが重なったときに、商品購入ページ５０等が開かれたり、お気に入りリストのように、商品画像４１が示す商品が購入予定リストに登録さたりする。このようにユーザ端末２０のシステム制御部２６は、ユーザ端末２０の操作部２４からの入力に基づき、ウェブページ４０Ｂ上で、当該ウェブページに含まれる商品画像４１を移動させる商品画像移動手段の一例として機能する。また、ユーザ端末２０のシステム制御部２６は、商品画像４１が画像オブジェクト３５に移動した場合に、商品画像が示す商品を購入予定リストに登録する商品登録手段の一例として機能する。
【００９２】
また、図１０に示すように、商品の購入の手続きの処理に移動させる購入ボタン画像５１や、商品画像４１が示す商品を購入予定リストに登録するお気に入りボタン画像５２が、商品画像４１の方に移動させられるようにしてもよい。そして、ステップＳ７のように、購入ボタン画像５１やお気に入りボタン画像５２が商品画像４１に移動して、購入ボタン画像５１やお気に入りボタン画像５２の表示領域と商品画像４１の表示領域とが重なったときに、商品購入ページ５０等が開かれる。
【００９３】
以上、ユーザの端末の操作部からの入力に基づき、ウェブページ上で、当該ウェブページに含まれる商品画像を移動させ、商品画像が画像オブジェクトに移動した場合に、商品画像が示す商品を購入予定リストに登録する場合、ユーザの操作しやすくなったり、ユーザに対する演出性が増加したりして、ユーザの利便性が向上し、ユーザに対する商品の販売を促すことができる。
【００９４】
（４．２  画像オブジェクトの変形例）
次に、画像オブジェクトの変形について、図１１〜図１４を用いて説明する。  図１１〜図１４は、画像オブジェクトの変形例を示す模式図である。
【００９５】
図１１に示すように、購買履歴情報の一例の購入金額や獲得ポイントに応じて、画像オブジェクトが、獲得画像オブジェクトとして、画像オブジェクト３５Ａ、３５Ｂ、３５Ｃのように、画像オブジェクトの大きさ（購買履歴情報に応じた形状の一例として）が変わるようにしてもよい。
【００９６】
次に、図１２に示すように、購買履歴情報に応じた画像オブジェクトの形状の一例として、画像オブジェクト３５に、購入した商品を模した画像３５ａを付着させたり、画像オブジェクト３５の色が、画像３５ａの商品を表す色に塗られるようにしたりしてもよい。また、購入した商品の数や量に応じて、商品バックを模した画像３６ａが画像オブジェクト３６に付着されるようにしてもよい。また、ユーザが取得したポイントが、画像オブジェクトと共に表示されるようにしてもよい。画像オブジェクトが、商品画像に移動した場合等に、画像オブジェクトに画像３５ａを付着させたり、画像オブジェクトの色が分かるようにしてもよい。このように、購買履歴情報に応じて変化する表示態様を示す画像オブジェクトとして、ユーザにより購入された商品を模した画像を付した前記画像オブジェクトを取得する場合、ユーザは視覚的に購入した商品を把握できる。
【００９７】
なお、ショッピングサーバ１０のシステム制御部１４またはユーザ端末２０のシステム制御部２６は、図６の表のような商品ＩＤに基づき、商品ＩＤに対応する商品を模した画像３５ａを記憶部１２または記憶部２２から読み出し、画像オブジェクト３５に付着させる。
【００９８】
また、図１３に示すように、購買履歴情報に応じた画像オブジェクトの形状の一例として、画像オブジェクト３６に、ユーザが購入した商品の一例の書籍３６ｂが、購入数や購入金額に応じて、画像オブジェクト３６に付着されるようにしてもよい。また、購入数や購入金額が所定以上の場合、付着させる商品の形状が、書籍３６ｃのように変化するようにしてもよい。
【００９９】
なお、ユーザが購入した様々な商品のうち、ウェブページに表示されている商品に関する購買履歴情報を、画像オブジェクトに反映させてもよいし、ユーザが閲覧しているウェブページにある商品のカテゴリに関連した商品に関する購買履歴情報を、画像オブジェクトに反映させてもよい。また、今までの購買履歴情報から、多く買っている商品を、画像オブジェクトに反映させてもよい。
【０１００】
次に、図１４に示すように、画像オブジェクト６０の区分けされた複数の部位に、ユーザの購入等してきた商品の関連情報が関連付けられている。上述した部位とは、例えば、画像オブジェクト６０を構成する単位を示している。具体的には、画像オブジェクト６０の頭部、胴体部、足部、脚部が相当する。そして、上述した場合において、各部位にポインタ４５を近づけるとバルーン表示６１、６２、６３、６４が表示される。ここで、バルーン表示６１には、ヒト型の画像オブジェクト６０の頭部に関連した商品コメントが、バルーン表示６２には、ヒト型の画像オブジェクト６０の胴体部に関連した商品コメントが、バルーン表示６３には、ヒト型の画像オブジェクト６０の脚部に関連した商品コメントが、バルーン表示６４には、ヒト型の画像オブジェクト６０の足部に関連した商品コメントが、各々表示される。複数の部位に区分けされた画像オブジェクトであって、各部位にユーザ属性情報を関連付けた画像オブジェクトが取得される場合、多くの情報をユーザに提示させやすくなる。なお、上述したように部位を、頭部、胴体部、脚部、足部として説明したが、これを画像オブジェクト６０の上半身、下半身としてもよいし、頭部、胴体部、脚部、足部よりもさらに細かい単位で設定してもよい。また、部位の数は、ユーザが購入した商品の種類の数に応じて変化させてもよい。
【０１０１】
これらのように購買履歴情報が視覚化され、ユーザは、購入している商品が視覚的に把握しやすくなる。
【０１０２】
（４．３  ウェブページの変形例）
次に、ウェブページに複数の画像オブジェクトが表示させる場合について、図１５を用いて説明する。
図１５は、ユーザ端末２０に表示されるウェブページの変形例を示す模式図である。
【０１０３】
図１５に示すように、ウェブページ４０Ｃ上に、ユーザ端末２０のユーザに対応する画像オブジェクト３５の他に、他人のユーザに対応する画像オブジェクト６０，７０、７１、７２、７３が表示されるようにしてもよい。画像オブジェクト６０、７０、７１、７２、７３に、他人である各ユーザの購買履歴やユーザ属性が反映されている。例えば、画像オブジェクト６０は、購入した商品等を身に付けている態様である。画像オブジェクト７０は、購入した金額や、獲得したポイント数等に応じた態様である。画像オブジェクト７１は、購入した商品が付された態様である。画像オブジェクト７２は、性別等のユーザ属性に応じた態様である。画像オブジェクト７３は、性別等のユーザ属性に応じた態様で、商品バックを付した態様である。この場合、ウェブページ４０Ｃを閲覧しているユーザが、他のユーザがどのようなものを買ったのかの購買傾向を視覚的に把握することができる。
【０１０４】
また、時間に応じて、表示させる画像オブジェクトの数、画像オブジェクトの形状等の態様を変えてもよい。例えば、ショッピングサイトにログインしている現在のユーザの数に応じて、表示させる画像オブジェクトの数が変化させる。同じ時間帯に購入する他のユーザがどんなものを買うのかを提示でき、ウェブページ４０Ｃを閲覧しているユーザの購入を促すことができる。
【０１０５】
なお、表示させる画像オブジェクトの数は、ショッピングサイトにログインしている人数分でもよいし、ログインしている人数に関連する数でもよい。さらに、表示させる画像オブジェクトの数は、ショッピングサイト特定のカテゴリにログインしているユーザの数や、ウェブページ４０Ｃを閲覧しているユーザの数や、ウェブページ４０Ｃを閲覧しているユーザと友人等の同一のグループに属するユーザの数に絞られてもよい。
【０１０６】
なお、現在、ショッピングサイトにログインしていなくても、ウェブページ４０Ｃを閲覧しているユーザと友人等の同一のグループに属するユーザの画像オブジェクトがウェブページ４０Ｃ上に表示されてもよい。また、現在ログインしていなくても、過去の所定時間内に購入またはログインしたユーザに対応する画像オブジェクトがウェブページ４０Ｃ上に表示されてもよい。
【０１０７】
なお、画像オブジェクト７０、７１、７２、７３、７５が、商品画像４１等に移動した場合や、商品画像４１が、画像オブジェクト６０、７０、７１、７２、７３に移動した場合に、画像オブジェクト６０、７０、７１、７２、７３が、商品画像４１に対応する商品を他人が買った場合の購買履歴情報に応じて変化してもよい。この場合、他人の画像オブジェクトの変化の予想の態様が分かり、ユーザが他のユーザへ商品のレコメンドをしたり、変化を楽しむことができる。また、他のユーザの画像オブジェクトも表示させることで、どのような他のユーザが、ショッピングサイトにどのくらいの人がログインしているか、同じウェブページをどのくらいの人が閲覧しているか、当該他のユーザがどのような商品を購入しているか等の他人の購買傾向を視覚的に把握できる。
【０１０８】
さらに、他のユーザの画像オブジェクトも表示させ、画像オブジェクト６０、７０、７１、７２、７３をポインタ４５等で指定した場合、他のユーザに対するメッセージを記入できるようにしてもよい。
【０１０９】
さらになお、ユーザ属性に基づいた画像オブジェクトの他に、ユーザ自身が選択したキャラクターの画像オブジェクトでもよい。
【０１１０】
また、ユーザにより利用された商品カテゴリに応じて更にポイントを付与して、商品カテゴリに応じて表示態様の画像オブジェクトが取得されてもよい。ここで、商品カテゴリは、ある商品群に設定されたカテゴリでも、さらに上位のカテゴリとして様々なサービスを提供するショッピングサイトの各サービスでもよい。ユーザにより利用された商品カテゴリに応じた表示態様の画像オブジェクトを取得する場合、異なるカテゴリの商品の販売促進になる。また、特定のカテゴリに集中してユーザしていないユーザに対しても公平に獲得画像オブジェクト３１等を提供できる。
【０１１１】
また画像オブジェクトに期限を設け、現在の画像オブジェクトの状態を維持するために必要なポイントや、お勧め商品等が表示されてもよい。
【０１１２】
さらになお、ユーザ端末２０のシステム制御部２６が、ショッピングサーバ１０から現在所有しているポイント情報を取得して、ポイント情報に応じた表示態様を示す画像オブジェクトと、表示部２３に表示されている商品画像の商品を購入した場合に付与されるポイントに応じた獲得画像オブジェクトとを取得したり生成させたりして、商品画像と共に、画像オブジェクトおよび獲得画像オブジェクトを表示部２３に表示させてもよい。
【０１１３】
このようにユーザ端末２０のシステム制御部２６は、ユーザにより購入された商品に対して付与されるポイントに関する情報をポイント情報とし、ポイント情報を取得するポイント情報取得手段の一例として機能する。またユーザ端末２０のシステム制御部２６は、購買履歴情報に応じて変化する表示態様を示す画像オブジェクトを取得する画像オブジェクト取得手段、または、ポイント情報に応じた表示態様を示す画像オブジェクトを取得する画像オブジェクト取得手段の一例として機能する。また、ユーザ端末２０のシステム制御部２６は、ウェブページに示される商品をユーザが購入した場合の購買履歴情報に応じて獲得される画像オブジェクトを獲得画像オブジェクトとし、獲得画像オブジェクトを取得する獲得画像オブジェクト取得手段、または、ウェブページに含まれる商品画像で識別される商品をユーザが購入した場合に、購入した商品により付与されるポイントに応じて獲得される画像オブジェクトを獲得画像オブジェクトとし、獲得画像オブジェクトを取得する獲得画像オブジェクト取得手段の一例として機能する。
【０１１４】
また、ユーザ端末２０の記憶部等に決済情報が保存されていて、画像オブジェクト３０の表示領域と商品関連情報の表示領域とが重なったときに、ユーザ端末２０が決済情報をショッピングサーバ１０に送信するようにしてもよい。画像オブジェクト３０自体に決済情報を関連させてもよい。
【０１１５】
また、表示部２３がタッチパネルのようなタッチスイッチ方式の表示パネルの場合、ポインタ４５の代わりに、ユーザの指等で、画像オブジェクトや商品画像が移動されるようにしてもよい。
【０１１６】
複数の商品を購入する場合や、複数の商品を選択する場合は、合計の金額に応じた画像オブジェクトや合計で獲得するポイントに応じた画像オブジェクトが、ウェブページに表示されてもよい。このように商品が複数の場合、図１３に示すように、画像オブジェクトに複数の商品画像が付着されてもよい。したがって、例えば、複数の商品を選択した場合に、画像オブジェクトに予想される獲得画像オブジェクトを複数吸着させてユーザに提示することができる。
【０１１７】
例えば、図１６に示すように、画像オブジェクト８０が商品画像９０にドラッグされると、画像オブジェクト８０に、商品画像９０の商品を模した画像８０ａが吸着する。その後、その状態で、次の商品画像９１に画像オブジェクト８０が移動させられると、画像８０ａに加えて、商品画像９１の商品を模した画像８０ｂが画像オブジェクト８０に吸着する。なお、複数の商品画像を選択することで画像オブジェクト８０に複数の商品を模した画像（例えば画像８０ａ、８０ｂ）を吸着させてもよい。複数の商品画像を選択する方法として、例えば、ポインタ４５により商品画像９０を指定して、マウスのクリック等で他の商品画像９１等を、例えば、コントロールキーを押下した状態で選択してもよい。あるいは、図１６に示すように、選択する複数の商品画像９０等に対応するラジオボタン９５をアクティブにすることで選択してもよい。あるいは、ポインタ４５により選択する複数の商品画像９０等を一括して選択してもよい。また、商品を購入した後に、画像オブジェクト８０に画像８０ａが吸着し、さらに、次の商品を購入した後に、画像８０ａが吸着した画像オブジェクト８０に画像８０ｂが吸着してもよい。
【０１１８】
さらに、例えば、２つ以上の商品が購入されるとポイントが５倍になる場合において、２つの商品を選択または購入する場合に、５倍のポイントを取得した画像オブジェクトが表示されてもよい。特に、２つ以上の商品が購入されたときにのみポイントが５倍になる場合において、２つの商品を選択した場合に、購入後に変化する予想画像オブジェクトとして、単に通常ポイントによりその２つの商品を購入して得られるポイントを反映した予想画像オブジェクトではなく、その２つの商品を購入することで５倍のポイントが獲得された場合を正確に反映させてもよい。これにより、複雑なポイント計算をすることなく、直感的に且つ正確に獲得される予想画像オブジェクトを把握した上で、購買行動をとることができる。
【０１１９】
また、購買履歴情報に応じて変化する表示態様を示す画像オブジェクトの一例として、商品画像を付着する代わりに、商品画像を付着させず、図１３に示されているバルーン表示６１、６２、６３、６４を画像オブジェクトに付着させてもよい。
【０１２０】
販売促進のため、”ポイント５倍”等のボーナスポイントがある場合、ポイントの倍率を反映させた画像オブジェクトを表示させてもよい。例えば、これまでの獲得ポイントに応じて、図１７に示すように、ポイントが低い順に会員をシルバー会員、ゴールド会員、及びプレミアム会員に分けており、画像オブジェクトはそのユーザの会員ランク（シルバー会員、ゴールド会員、プレミアム会員）を表しているものとする。この場合において、図１８に示すように、現在、ユーザのランクはシルバー会員であり、画像オブジェクト８０はシルバー会員の場合とする。そして、商品画像９１の商品を購入する場合は、５倍のポイントが取得でき、商品画像９２の商品を購入する場合は、１０倍のポイントを取得できるとする。
【０１２１】
このような状況下で、本変形例では各商品のポイント倍率を画像オブジェクトに正確に反映できるため、仮に、商品画像９１の商品と商品画像９２の商品とが同じ値段であったとしても、商品画像９１、９２に移動した画像オブジェクト８０は必ずしも同じ予想される画像オブジェクトを示すとは限らない。すなわち、画像オブジェクト８０を商品画像９１に移動すれば、商品画像９１の商品に対するポイントの５倍のポイントが加算された後の画像オブジェクト８１（例えば、ゴールド会員の画像オブシェクト８１）が表示される。また、画像オブジェクト８０を商品画像９２に移動すれば、商品画像９２の商品に対するポイントの１０倍のポイントが加算された画像オブシェクト８２（例えば、プレミアム会員の画像オブシェクト８２）が表示される。
【０１２２】
例えば、５倍のポイントの場合、商品の通常のポイントの５倍のポイントを加えることで、ゴールド会員になるのかプレミア会員になるのかのように、いちいち計算しなくとも、ユーザは、画像オブジェクト８１、８２を見ることで、プレミアなのかゴールドなのかを容易に判別できる。
【０１２３】
さらに、本発明は、上記各実施形態に限定されるものではない。上記各実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【０１２４】
３：ネットワーク
１０：ショッピングサーバ（情報処理装置）
１１：通信部
１２：記憶部
１２ａ：商品ＤＢ
１２ｂ：会員ＤＢ
１２ｃ：画像オブジェクトＤＢ
１４：システム制御部
２０：ユーザ端末（端末装置、情報処理装置）
２１：通信部
２２：記憶部
２３：表示部
２４：操作部
２６：システム制御部
３０、３５、３６、６０、７０、７１、７２、７３、７５：画像オブジェクト
３１、３２、３３、３４：獲得画像オブジェクト
【図１】
2014078276.tif 000003
【図２】
2014078276.tif 000004
【図３】
2014078276.tif 000005
【図４】
2014078276.tif 000006
【図６】
2014078276.tif 000007
【図９】
2014078276.tif 000008
【図１１】
2014078276.tif 000009
【図１２】
2014078276.tif 000010
【図１３】
2014078276.tif 000011
【図１４】
2014078276.tif 000012
【図１７】
2014078276.tif 000013
【図５】
2014078276.tif 000014
【図７】
2014078276.tif 000015
【図８】
2014078276.tif 000016
【図１０】
2014078276.tif 000017
【図１５】
2014078276.tif 000018
【図１６】
2014078276.tif 000019
【図１８】
2014078276.tif 000020